【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】
画像を入力する入力手段と、
前記画像入力手段によって入力された前記画像を複数の領域に分割して符号化するとともに、符号化に際して、符号化画像のエラー耐性を高めるエラー強化ツールを選択的にオン／オフする機能を有する画像符号化手段と、
前記画像符号化手段によって符号化された圧縮データを蓄積する蓄積手段と、
前記画像符号化手段によって符号化された圧縮データを外部に送出する送出手段と、
ユーザによる指示入力に基づいて、前記画像符号化手段によって符号化された前記圧縮データを前記送出手段に出力する第１モードと前記画像符号化手段によって符号化された前記圧縮データを前記蓄積手段に出力する第２モードとのいずれかを判定し、前記第２モードと判定された場合は前記エラー強化ツールをオフにするような符号化条件を決定する判定手段とを備え、
前記画像符号化手段は、前記判定手段によって決定された前記符号化条件に従って前記画像の符号化を行い、前記第２モードと判定された場合は、符号化した圧縮データを前記蓄積手段に格納する
ことを特徴とする動画像符号化装置。
【請求項２】
前記判定手段は、ユーザによる指示入力に基づいて、前記画像符号化手段によって符号化された前記圧縮データを前記送出手段に出力する第１モードと前記画像符号化手段によって符号化された前記圧縮データを前記蓄積手段に出力する第２モードとのいずれかを判定し、前記第１モードと判定された場合は前記エラー強化ツールをオンにし、前記第２モードと判定された場合は前記エラー強化ツールをオフにするような符号化条件を決定し、
前記画像符号化手段は、前記判定手段によって決定された前記符号化条件に従って前記画像の符号化を行い、前記第１モードと判定された場合は符号化した圧縮データを前記送出手段に出力し、前記第２モードと判定された場合は、符号化した圧縮データを前記蓄積手段に格納する
ことを特徴とする請求項１に記載の動画像符号化装置。
【請求項３】
前記判定手段は、ユーザによる指示入力に基づいて、前記画像符号化手段によって符号化された圧縮データを前記送出手段に出力する第１モードと前記圧縮データを前記蓄積手段に出力する第２モードとのいずれかを判定し、前記第１モードと判定された場合は前記エラー強化ツールをオンにするとともに前記領域の境界をまたがったフィルタリング処理をオフにし、前記第２モードと判定された場合は前記エラー強化ツールをオフにするとともに前記領域の境界をまたがったフィルタリング処理をオンにするように符号化条件を決定し、
前記符号化手段は、前記判定手段によって決定された前記符号化条件に従って前記画像の符号化を行い、前記第１モードと判定された場合は符号化した前記圧縮データを前記送出手段に出力し、前記第２モードと判定された場合は、符号化した前記圧縮データを前記蓄積手段に格納する
ことを特徴とする請求項１に記載の動画像符号化装置。
【請求項４】
画像を入力する入力手段と、
前記画像入力手段によって入力された前記画像を複数の領域に分割して符号化するとともに、符号化に際して、符号化画像のエラー耐性を高めるエラー強化ツールを選択的にオン／オフする機能を有する画像符号化手段と、
前記画像符号化手段によって符号化された圧縮データを外部に送出するとともに外部回線の伝送エラー率を取得する送出手段と、
前記送出手段よって取得された外部回線の前記伝送エラー率に基づいて、前記伝送エラー率が所定の閾値を超えた場合は第１モードと判定するとともに前記伝送エラー率が所定の閾値以下となった場合は第２モードと判定し、前記第１モードと判定された場合は前記エラー強化ツールをオンにし、前記第２モードと判定された場合は前記エラー強化ツールをオフにするような符号化条件を決定する回線判定手段とを備え、
前記画像符号化手段は、前記回線判定手段によって決定された前記符号化条件に従って前記画像の符号化を行い、前記符号化した圧縮データを前記送出手段に出力する
ことを特徴とする動画像符号化装置。
【請求項５】
前記回線判定手段は、
前記送出手段よって取得された外部回線の前記伝送エラー率に基づいて、前記伝送エラー率が所定の閾値を超えた場合は第１モードと判定するとともに前記伝送エラー率が所定の閾値以下となった場合は第２モードと判定し、前記第１モードと判定された場合は前記エラー強化ツールをオンにするとともに前記領域の境界をまたがったフィルタリング処理をオフにし、前記第２モードと判定された場合は前記エラー強化ツールをオフにするとともに前記領域の境界をまたがったフィルタリング処理をオンにするような符号化条件を決定する
ことを特徴とする請求項４に記載の動画像符号化装置。
【請求項６】
前記エラー強化ツールは、前記各領域を画像の走査順とは異なる順番で符号化するツールである
ことを特徴とする請求項１〜５のいずれか１項に記載の動画像符号化装置。
【請求項７】
前記エラー強化ツールは、前記符号化手段によって符号化された圧縮データを二重化するツールである
ことを特徴とする請求項１〜５のいずれか１項に記載の動画像符号化装置。
【請求項８】
画像入力手段を用いて画像を入力する入力ステップと、
前記画像入力ステップにおいて入力された前記画像を複数の領域に分割し、符号化に際して符号化画像のエラー耐性を高めるエラー強化ツールを選択的にオン／オフしながら前記画像を符号化する画像符号化ステップと、
前記画像符号化ステップにおいて符号化された圧縮データを蓄積手段に蓄積する蓄積ステップと、
前記画像符号化ステップにおいて符号化された圧縮データを送出手段から外部に送出する送出ステップと、
ユーザによる指示入力に基づいて、前記画像符号化ステップにおいて符号化された前記圧縮データを前記送出手段に出力する第１モードと前記画像符号化ステップにおいて符号化された前記圧縮データを前記蓄積手段に出力する第２モードとのいずれかを判定し、前記第２モードと判定された場合は前記エラー強化ツールをオフにするような符号化条件を決定する判定ステップとを備え、
前記画像符号化ステップは、前記判定ステップにおいて決定された前記符号化条件に従って前記画像の符号化を行い、前記第２モードと判定された場合は、符号化した圧縮データを前記蓄積手段に格納する
ことを特徴とする動画像符号化方法。
【請求項９】
前記判定ステップは、ユーザによる指示入力に基づいて、前記画像符号化ステップにおいて符号化された前記圧縮データを前記送出手段に出力する第１モードと前記画像符号化ステップにおいて符号化された前記圧縮データを前記蓄積手段に出力する第２モードとのいずれかを判定し、前記第１モードと判定された場合は前記エラー強化ツールをオンにし、前記第２モードと判定された場合は前記エラー強化ツールをオフにするような符号化条件を決定し、
前記画像符号化ステップは、前記判定ステップにおいて決定された前記符号化条件に従って前記画像の符号化を行い、前記第１モードと判定された場合は符号化した圧縮データを前記送出手段に出力し、前記第２モードと判定された場合は、符号化した圧縮データを前記蓄積手段に格納する
ことを特徴とする請求項８に記載の動画像符号化方法。
【請求項１０】
前記判定ステップは、ユーザによる指示入力に基づいて、前記画像符号化ステップにおいて符号化された圧縮データを前記送出手段に出力する第１モードと前記圧縮データを前記蓄積手段に出力する第２モードとのいずれかを判定し、前記第１モードと判定された場合は前記エラー強化ツールをオンにするとともに前記領域の境界をまたがったフィルタリング処理をオフにし、前記第２モードと判定された場合は前記エラー強化ツールをオフにするとともに前記領域の境界をまたがったフィルタリング処理をオンにするように符号化条件を決定し、
前記符号化ステップは、前記判定ステップにおいて決定された前記符号化条件に従って前記画像の符号化を行い、前記第１モードと判定された場合は符号化した前記圧縮データを前記送出手段に出力し、前記第２モードと判定された場合は、符号化した前記圧縮データを前記蓄積手段に格納する
ことを特徴とする請求項８に記載の動画像符号化方法。
【請求項１１】
画像入力手段を用いて画像を入力する入力ステップと、
前記画像入力ステップにおいて入力された前記画像を複数の領域に分割し、符号化に際して符号化画像のエラー耐性を高めるエラー強化ツールを選択的にオン／オフしながら前記画像を符号化する画像符号化ステップと、
前記画像符号化ステップにおいて符号化された圧縮データを送出手段から外部に送出するとともに、前記送出手段によって外部回線の伝送エラー率を取得する送出ステップと、
前記送出ステップにおいて取得された外部回線の前記伝送エラー率に基づいて、前記伝送エラー率が所定の閾値を超えた場合は第１モードと判定するとともに前記伝送エラー率が所定の閾値以下となった場合は第２モードと判定し、前記第１モードと判定された場合は前記エラー強化ツールをオンにし、前記第２モードと判定された場合は前記エラー強化ツールをオフにするような符号化条件を決定する回線判定ステップとを備え、
前記画像符号化ステップは、前記回線判定ステップにおいて決定された前記符号化条件に従って前記画像の符号化を行い、前記符号化した圧縮データを前記送出手段に出力する
ことを特徴とする動画像符号化方法。
【請求項１２】
前記回線判定ステップは、
前記送出ステップにおいて取得された外部回線の前記伝送エラー率に基づいて、前記伝送エラー率が所定の閾値を超えた場合は第１モードと判定するとともに前記伝送エラー率が所定の閾値以下となった場合は第２モードと判定し、前記第１モードと判定された場合は前記エラー強化ツールをオンにするとともに前記領域の境界をまたがったフィルタリング処理をオフにし、前記第２モードと判定された場合は前記エラー強化ツールをオフにするとともに前記領域の境界をまたがったフィルタリング処理をオンにするような符号化条件を決定する
ことを特徴とする請求項１１に記載の動画像符号化方法。
【請求項１３】
コンピュータを、
画像を入力する入力手段と、
前記画像入力手段によって入力された前記画像を複数の領域に分割して符号化するとともに、符号化に際して、符号化画像のエラー耐性を高めるエラー強化ツールを選択的にオン／オフする機能を有する画像符号化手段と、
前記画像符号化手段によって符号化された圧縮データを蓄積する蓄積手段と、
前記画像符号化手段によって符号化された圧縮データを外部に送出する送出手段と、
ユーザによる指示入力に基づいて、前記画像符号化手段によって符号化された前記圧縮データを前記送出手段に出力する第１モードと前記画像符号化手段によって符号化された前記圧縮データを前記蓄積手段に出力する第２モードとのいずれかを判定し、前記第２モードと判定された場合は前記エラー強化ツールをオフにするような符号化条件を決定する判定手段として機能させる動画像符号化プログラムであって、
前記画像符号化手段は、前記判定手段によって決定された前記符号化条件に従って前記画像の符号化を行い、前記第２モードと判定された場合は、符号化した圧縮データを前記蓄積手段に格納する
ことを特徴とする動画像符号化プログラム。
【請求項１４】
前記判定手段は、
ユーザによる指示入力に基づいて、前記画像符号化手段によって符号化された前記圧縮データを前記送出手段に出力する第１モードと前記画像符号化手段によって符号化された前記圧縮データを前記蓄積手段に出力する第２モードとのいずれかを判定し、前記第１モードと判定された場合は前記エラー強化ツールをオンにし、前記第２モードと判定された場合は前記エラー強化ツールをオフにするような符号化条件を決定し、
前記画像符号化手段は、前記判定手段によって決定された前記符号化条件に従って前記画像の符号化を行い、前記第１モードと判定された場合は符号化した圧縮データを前記送出手段に出力し、前記第２モードと判定された場合は、符号化した圧縮データを前記蓄積手段に格納する
ことを特徴とする請求項１３に記載の動画像符号化プログラム。
【請求項１５】
前記判定手段は、
ユーザによる指示入力に基づいて、前記画像符号化手段によって符号化された圧縮データを前記送出手段に出力する第１モードと前記圧縮データを前記蓄積手段に出力する第２モードとのいずれかを判定し、前記第１モードと判定された場合は前記エラー強化ツールをオンにするとともに前記領域の境界をまたがったフィルタリング処理をオフにし、前記第２モードと判定された場合は前記エラー強化ツールをオフにするとともに前記領域の境界をまたがったフィルタリング処理をオンにするように符号化条件を決定し、
前記画像符号化手段は、前記判定手段によって決定された前記符号化条件に従って前記画像の符号化を行い、前記第１モードと判定された場合は符号化した圧縮データを前記送出手段に出力し、前記第２モードと判定された場合は、符号化した圧縮データを前記蓄積手段に格納する
ことを特徴とする請求項１３に記載の動画像符号化プログラム。
【請求項１６】
コンピュータを、
画像を入力する入力手段と、
前記画像入力手段によって入力された前記画像を複数の領域に分割して符号化するとともに、符号化に際して、符号化画像のエラー耐性を高めるエラー強化ツールを選択的にオン／オフする機能を有する画像符号化手段と、
前記画像符号化手段によって符号化された圧縮データを外部に送出するとともに外部回線の伝送エラー率を取得する送出手段と、
前記送出手段よって取得された外部回線の前記伝送エラー率に基づいて、前記伝送エラー率が所定の閾値を超えた場合は第１モードと判定するとともに前記伝送エラー率が所定の閾値以下となった場合は第２モードと判定し、前記第１モードと判定された場合は前記エラー強化ツールをオンにし、前記第２モードと判定された場合は前記エラー強化ツールをオフにするような符号化条件を決定する回線判定手段として機能させるプログラムであって、
前記画像符号化手段は、前記回線判定手段によって決定された前記符号化条件に従って前記画像の符号化を行い、前記符号化した圧縮データを前記送出手段に出力する
ことを特徴とする動画像符号化プログラム。
【請求項１７】
前記回線判定手段は、
前記送出手段よって取得された外部回線の前記伝送エラー率に基づいて、前記伝送エラー率が所定の閾値を超えた場合は第１モードと判定するとともに前記伝送エラー率が所定の閾値以下となった場合は第２モードと判定し、前記第１モードと判定された場合は前記エラー強化ツールをオンにするとともに前記領域の境界をまたがったフィルタリング処理をオフにし、前記第２モードと判定された場合は前記エラー強化ツールをオフにするとともに前記領域の境界をまたがったフィルタリング処理をオンにするような符号化条件を決定する
ことを特徴とする請求項１６に記載の動画像符号化プログラム。
【手続補正２】
【補正対象書類名】明細書
【補正対象項目名】０００６
【補正方法】変更
【補正の内容】
【０００６】
図２に示すようにＨ．２６４では１つまたは複数のマクロブロックから構成されるスライス単位に独立して符号化する機能が備えられている（図２において、フレーム画像２０１には、４つのスライス２０２〜２０５が含まれる）。各スライスはスライスヘッダおよび１つまたは複数のマクロブロックから構成されており、スライス内のマクロブロックは他のスライスに属するマクロブロックの情報を用いた予測を行わずに符号化される。したがって、あるフレームの圧縮符号化データにエラーが混入した場合でも、当該フレームにおいて次に検出されるスライスヘッダから始まるスライス以降のマクロブロックはエラーの影響を受けずに正常に復号することができる。
【手続補正３】
【補正対象書類名】明細書
【補正対象項目名】０００７
【補正方法】変更
【補正の内容】
【０００７】
また、図５に示すように、エラーを分散化させるために、マクロブロックを１つおきにまとめて１つのスライスとして符号化・伝送する方法がある（図５においては、フレーム画像５０１に含まれるマクロブロックが１つおきにまとめてスライス５０２とスライス５０３とを構成する）。この場合マクロブロック間の相関を利用できないため符号化効率が低下するが、エラーを分散させることができる。同様に、スライスのデータを走査線順で送るのではなく任意の順番で送ってエラーに強い仕組みが作れる。図６では、通常は、フレーム画像６０１を構成するスライス６０２，６０３，６０４，６０５の順に符号化データを送るが、スライス６０４のデータを先に送ってからスライス６０２を送ってもよい（ここで、パケット６０６，６０７，６０８，６０９には、それぞれ、スライス６０４，６０２，６０５，６０３に対応するデータが含まれる）。また、同じスライスのデータを繰り返して伝送する手法もある。例えば、図７ではスライス７０２の符号化されたデータを複製してパケット７０６ａとパケット７０６ｂに格納して伝送することにより、パケット７０６ａのデータにエラーが生じたり、またはパケット７０６ａそのものが紛失したりしても、パケット７０６ｂのデータがあれば、同じスライスの画像を再生することができる。このように、フレーム画像内の各領域を画像の走査順とは異なる順番で符号化したり、符号化手段によって符号化された圧縮データを二重化したりすることによって、符号化に際して符号化画像のエラー耐性を高める機能を「エラー強化ツール」と呼ぶ。
【手続補正４】
【補正対象書類名】明細書
【補正対象項目名】００１５
【補正方法】変更
【補正の内容】
【００１５】
【課題を解決するための手段】
上記課題を解決するために、本発明の動画像符号化装置は、画像を入力する入力手段と、上記画像入力手段によって入力された上記画像を複数の領域に分割して符号化するとともに、符号化に際して、符号化画像のエラー耐性を高めるエラー強化ツールを選択的にオン／オフする機能を有する画像符号化手段と、上記画像符号化手段によって符号化された圧縮データを蓄積する蓄積手段と、上記画像符号化手段によって符号化された圧縮データを外部に送出する送出手段と、ユーザによる指示入力に基づいて、上記画像符号化手段によって符号化された上記圧縮データを上記送出手段に出力する第１モードと上記画像符号化手段によって符号化された上記圧縮データを上記蓄積手段に出力する第２モードとのいずれかを判定し、上記第２モードと判定された場合は上記エラー強化ツールをオフにするような符号化条件を決定する判定手段とを備え、上記画像符号化手段は、上記判定手段によって決定された上記符号化条件に従って上記画像の符号化を行い、上記第２モードと判定された場合は、符号化した圧縮データを上記蓄積手段に格納することを特徴としている。
上記判定手段は、ユーザによる指示入力に基づいて、上記画像符号化手段によって符号化された上記圧縮データを上記送出手段に出力する第１モードと上記画像符号化手段によって符号化された上記圧縮データを上記蓄積手段に出力する第２モードとのいずれかを判定し、上記第１モードと判定された場合は上記エラー強化ツールをオンにし、上記第２モードと判定された場合は上記エラー強化ツールをオフにするような符号化条件を決定し、上記画像符号化手段は、上記判定手段によって決定された上記符号化条件に従って上記画像の符号化を行い、上記第１モードと判定された場合は符号化した圧縮データを上記送出手段に出力し、上記第２モードと判定された場合は、符号化した圧縮データを上記蓄積手段に格納することが望ましい。
【手続補正５】
【補正対象書類名】明細書
【補正対象項目名】００１６
【補正方法】変更
【補正の内容】
【００１６】
また、上記課題を解決するために、本発明の動画像符号化方法は、画像入力手段を用いて画像を入力する入力ステップと、上記画像入力ステップにおいて入力された上記画像を複数の領域に分割し、符号化に際して符号化画像のエラー耐性を高めるエラー強化ツールを選択的にオン／オフしながら上記画像を符号化する画像符号化ステップと、上記画像符号化ステップにおいて符号化された圧縮データを蓄積手段に蓄積する蓄積ステップと、上記画像符号化ステップにおいて符号化された圧縮データを送出手段から外部に送出する送出ステップと、ユーザによる指示入力に基づいて、上記画像符号化ステップにおいて符号化された上記圧縮データを上記送出手段に出力する第１モードと上記画像符号化ステップにおいて符号化された上記圧縮データを上記蓄積手段に出力する第２モードとのいずれかを判定し、上記第２モードと判定された場合は上記エラー強化ツールをオフにするような符号化条件を決定する判定ステップとを備え、上記画像符号化ステップは、上記判定ステップにおいて決定された上記符号化条件に従って上記画像の符号化を行い、上記第２モードと判定された場合は、符号化した圧縮データを上記蓄積手段に格納することを特徴としている。
上記判定ステップは、ユーザによる指示入力に基づいて、上記画像符号化ステップにおいて符号化された上記圧縮データを上記送出手段に出力する第１モードと上記画像符号化ステップにおいて符号化された上記圧縮データを上記蓄積手段に出力する第２モードとのいずれかを判定し、上記第１モードと判定された場合は上記エラー強化ツールをオンにし、上記第２モードと判定された場合は上記エラー強化ツールをオフにするような符号化条件を決定し、上記画像符号化ステップは、上記判定ステップにおいて決定された上記符号化条件に従って上記画像の符号化を行い、上記第１モードと判定された場合は符号化した圧縮データを上記送出手段に出力し、上記第２モードと判定された場合は、符号化した圧縮データを上記蓄積手段に格納することが望ましい。
【手続補正６】
【補正対象書類名】明細書
【補正対象項目名】００１７
【補正方法】変更
【補正の内容】
【００１７】
また、上記課題を解決するために、本発明の動画像符号化プログラムは、コンピュータを、画像を入力する入力手段と、上記画像入力手段によって入力された上記画像を複数の領域に分割して符号化するとともに、符号化に際して、符号化画像のエラー耐性を高めるエラー強化ツールを選択的にオン／オフする機能を有する画像符号化手段と、上記画像符号化手段によって符号化された圧縮データを蓄積する蓄積手段と、上記画像符号化手段によって符号化された圧縮データを外部に送出する送出手段と、ユーザによる指示入力に基づいて、上記画像符号化手段によって符号化された上記圧縮データを上記送出手段に出力する第１モードと上記画像符号化手段によって符号化された上記圧縮データを上記蓄積手段に出力する第２モードとのいずれかを判定し、上記第２モードと判定された場合は上記エラー強化ツールをオフにするような符号化条件を決定する判定手段として機能させる動画像符号化プログラムであって、上記画像符号化手段は、上記判定手段によって決定された上記符号化条件に従って上記画像の符号化を行い、上記第２モードと判定された場合は、符号化した圧縮データを上記蓄積手段に格納することを特徴としている。
上記判定手段は、ユーザによる指示入力に基づいて、上記画像符号化手段によって符号化された上記圧縮データを上記送出手段に出力する第１モードと上記画像符号化手段によって符号化された上記圧縮データを上記蓄積手段に出力する第２モードとのいずれかを判定し、上記第１モードと判定された場合は上記エラー強化ツールをオンにし、上記第２モードと判定された場合は上記エラー強化ツールをオフにするような符号化条件を決定し、上記画像符号化手段は、上記判定手段によって決定された上記符号化条件に従って上記画像の符号化を行い、上記第１モードと判定された場合は符号化した圧縮データを上記送出手段に出力し、上記第２モードと判定された場合は、符号化した圧縮データを上記蓄積手段に格納することが望ましい。
【手続補正７】
【補正対象書類名】明細書
【補正対象項目名】００１９
【補正方法】変更
【補正の内容】
【００１９】
上記判定手段は、ユーザによる指示入力に基づいて、上記画像符号化手段によって符号化された圧縮データを上記送出手段に出力する第１モードと上記圧縮データを上記蓄積手段に出力する第２モードとのいずれかを判定し、上記第１モードと判定された場合は上記エラー強化ツールをオンにするとともに上記領域の境界をまたがったフィルタリング処理をオフにし、上記第２モードと判定された場合は上記エラー強化ツールをオフにするとともに上記領域の境界をまたがったフィルタリング処理をオンにするように符号化条件を決定し、上記符号化手段は、上記判定手段によって決定された上記符号化条件に従って上記画像の符号化を行い、上記第１モードと判定された場合は符号化した上記圧縮データを上記送出手段に出力し、上記第２モードと判定された場合は、符号化した上記圧縮データを上記蓄積手段に格納することが望ましい。
【手続補正８】
【補正対象書類名】明細書
【補正対象項目名】００２０
【補正方法】変更
【補正の内容】
【００２０】
上記判定ステップは、ユーザによる指示入力に基づいて、上記画像符号化ステップにおいて符号化された圧縮データを上記送出手段に出力する第１モードと上記圧縮データを上記蓄積手段に出力する第２モードとのいずれかを判定し、上記第１モードと判定された場合は上記エラー強化ツールをオンにするとともに上記領域の境界をまたがったフィルタリング処理をオフにし、上記第２モードと判定された場合は上記エラー強化ツールをオフにするとともに上記領域の境界をまたがったフィルタリング処理をオンにするように符号化条件を決定し、上記符号化ステップは、上記判定ステップにおいて決定された上記符号化条件に従って上記画像の符号化を行い、上記第１モードと判定された場合は符号化した上記圧縮データを上記送出手段に出力し、上記第２モードと判定された場合は、符号化した上記圧縮データを上記蓄積手段に格納することが望ましい。
【手続補正９】
【補正対象書類名】明細書
【補正対象項目名】００２１
【補正方法】変更
【補正の内容】
【００２１】
上記判定手段は、ユーザによる指示入力に基づいて、上記画像符号化手段によって符号化された圧縮データを上記送出手段に出力する第１モードと上記圧縮データを上記蓄積手段に出力する第２モードとのいずれかを判定し、上記第１モードと判定された場合は上記エラー強化ツールをオンにするとともに上記領域の境界をまたがったフィルタリング処理をオフにし、上記第２モードと判定された場合は上記エラー強化ツールをオフにするとともに上記領域の境界をまたがったフィルタリング処理をオンにするように符号化条件を決定し、上記画像符号化手段は、上記判定手段によって決定された上記符号化条件に従って上記画像の符号化を行い、上記第１モードと判定された場合は符号化した上記圧縮データを上記送出手段に出力し、上記第２モードと判定された場合は、符号化した上記圧縮データを上記蓄積手段に格納することが望ましい。
【手続補正１０】
【補正対象書類名】明細書
【補正対象項目名】００２３
【補正方法】変更
【補正の内容】
【００２３】
また、上記課題を解決するために、本発明の動画像符号化装置は、画像を入力する入力手段と、上記画像入力手段によって入力された上記画像を複数の領域に分割して符号化するとともに、符号化に際して、符号化画像のエラー耐性を高めるエラー強化ツールを選択的にオン／オフする機能を有する画像符号化手段と、上記画像符号化手段によって符号化された圧縮データを外部に送出するとともに外部回線の伝送エラー率を取得する送出手段と、上記送出手段よって取得された外部回線の上記伝送エラー率に基づいて、上記伝送エラー率が所定の閾値を超えた場合は第１モードと判定するとともに上記伝送エラー率が所定の閾値以下となった場合は第２モードと判定し、上記第１モードと判定された場合は上記エラー強化ツールをオンにし、上記第２モードと判定された場合は上記エラー強化ツールをオフにするような符号化条件を決定する回線判定手段とを備え、上記画像符号化手段は、上記回線判定手段によって決定された上記符号化条件に従って上記画像の符号化を行い、上記符号化した圧縮データを上記送出手段に出力することを特徴としている。
上記回線判定手段は、上記送出手段よって取得された外部回線の上記伝送エラー率に基づいて、上記伝送エラー率が所定の閾値を超えた場合は第１モードと判定するとともに上記伝送エラー率が所定の閾値以下となった場合は第２モードと判定し、上記第１モードと判定された場合は上記エラー強化ツールをオンにするとともに上記領域の境界をまたがったフィルタリング処理をオフにし、上記第２モードと判定された場合は上記領域の境界をまたがったフィルタリング処理をオンにするとともに上記エラー強化ツールをオフにするような符号化条件を決定することが望ましい。
【手続補正１１】
【補正対象書類名】明細書
【補正対象項目名】００２４
【補正方法】変更
【補正の内容】
【００２４】
また、上記課題を解決するために、本発明の動画像符号化方法は、画像入力手段を用いて画像を入力する入力ステップと、上記画像入力ステップにおいて入力された上記画像を複数の領域に分割し、符号化に際して符号化画像のエラー耐性を高めるエラー強化ツールを選択的にオン／オフしながら上記画像を符号化する画像符号化ステップと、上記画像符号化ステップにおいて符号化された圧縮データを送出手段から外部に送出するとともに、上記送出手段によって外部回線の伝送エラー率を取得する送出ステップと、上記送出ステップにおいて取得された外部回線の上記伝送エラー率に基づいて、上記伝送エラー率が所定の閾値を超えた場合は第１モードと判定するとともに上記伝送エラー率が所定の閾値以下となった場合は第２モードと判定し、上記第１モードと判定された場合は上記エラー強化ツールをオンにし、上記第２モードと判定された場合は上記エラー強化ツールをオフにするような符号化条件を決定する回線判定ステップとを備え、上記画像符号化ステップは、上記回線判定ステップにおいて決定された上記符号化条件に従って上記画像の符号化を行い、上記符号化した圧縮データを上記送出手段に出力することを特徴としている。
上記回線判定ステップは、上記送出ステップにおいて取得された外部回線の上記伝送エラー率に基づいて、上記伝送エラー率が所定の閾値を超えた場合は第１モードと判定するとともに上記伝送エラー率が所定の閾値以下となった場合は第２モードと判定し、上記第１モードと判定された場合は上記エラー強化ツールをオンにするとともに上記領域の境界をまたがったフィルタリング処理をオフにし、上記第２モードと判定された場合は上記エラー強化ツールをオフにするとともに上記領域の境界をまたがったフィルタリング処理をオンにするような符号化条件を決定することが望ましい。
【手続補正１２】
【補正対象書類名】明細書
【補正対象項目名】００２５
【補正方法】変更
【補正の内容】
【００２５】
また、上記課題を解決するために、本発明の動画像符号化プログラムは、コンピュータを、画像を入力する入力手段と、上記画像入力手段によって入力された上記画像を複数の領域に分割して符号化するとともに、符号化に際して、符号化画像のエラー耐性を高めるエラー強化ツールを選択的にオン／オフする機能を有する画像符号化手段と、上記画像符号化手段によって符号化された圧縮データを外部に送出するとともに外部回線の伝送エラー率を取得する送出手段と、上記送出手段よって取得された外部回線の上記伝送エラー率に基づいて、上記伝送エラー率が所定の閾値を超えた場合は第１モードと判定するとともに上記伝送エラー率が所定の閾値以下となった場合は第２モードと判定し、上記第１モードと判定された場合は上記エラー強化ツールをオンにし、上記第２モードと判定された場合は上記エラー強化ツールをオフにするような符号化条件を決定する回線判定手段として機能させるプログラムであって、上記画像符号化手段は、上記回線判定手段によって決定された上記符号化条件に従って上記画像の符号化を行い、上記符号化した圧縮データを上記送出手段に出力することを特徴としている。
上記回線判定手段は、上記送出手段よって取得された外部回線の上記伝送エラー率に基づいて、上記伝送エラー率が所定の閾値を超えた場合は第１モードと判定するとともに上記伝送エラー率が所定の閾値以下となった場合は第２モードと判定し、上記第１モードと判定された場合は上記エラー強化ツールをオンにするとともに上記領域の境界をまたがったフィルタリング処理をオフにし、上記第２モードと判定された場合は上記エラー強化ツールをオフにするとともに上記領域の境界をまたがったフィルタリング処理をオンにするような符号化条件を決定することが望ましい。
【手続補正１３】
【補正対象書類名】明細書
【補正対象項目名】００３２
【補正方法】変更
【補正の内容】
【００３２】
図４は本実施の形態における第１判定方法の流れ図を示す。まずステップ４０１では、使用モードがユーザによって入力される。次にステップ４０２では、入力された使用モードに基づいて、蓄積型かもしくは伝送型かが決定される。ここでは、ビデオ撮影やビデオメールのように、符号化器３０４にて符号化された映像のデータを全部（当該映像の始まりから終わりまで）蓄積器３０９に蓄える場合を蓄積型という。一方、符号化器３０４にて符号化された映像を逐次に送出器３０８を経由して外部（無線網など）に伝送される場合を伝送型という。一般的には伝送型の場合でも符号化されたデータを部分的に、多重化・変調のためにバッファに一時的に蓄えた上で外部に伝送されるが、画像データを全部蓄積する蓄積型とは異なる。さて、ステップ４０２にて蓄積型となる場合ステップ４０３に進み、ステップ４０５にてエラー強化ツールを「オフ」とする符号化条件を判定器３０３から出力する。一方伝送型の場合、ステップ４０４に進み、ステップ４０５にてエラー強化ツールを「オン」とする符号化条件を判定器３０３から出力する。本実施の形態では、エラー強化ツールが「オン」のとき、下記に述べるいずれかの方法、またはそれぞれの組み合わせで符号化器３０４が符号化処理を行う。
【手続補正１４】
【補正対象書類名】明細書
【補正対象項目名】００３９
【補正方法】変更
【補正の内容】
【００３９】
図８は本実施の形態による第２判定方法の流れ図を示す。まずステップ８０１では、使用モードが入力される。次にステップ８０２では、入力された使用モードに基づいて、蓄積型かもしくは伝送型かが決定される。ステップ８０２にて蓄積型となる場合ステップ８０３に進み、ステップ８０５にて、エラー強化ツールを「オフ」かつスライスの境界をまたがるフィルタリングを「オン」とする符号化条件を判定器３０３から出力する。一方、伝送型の場合、ステップ８０４に進み、ステップ８０５にて、エラー強化ツールを「オン」かつスライス境界をまたがるフィルタリングを「オフ」とする符号化条件を判定器３０３から出力する。本実施の形態では、スライス境界をまたがるフィルタリングが「オン」のとき、下記に述べる方法で符号化器３０４が符号化処理を行う。